(57)【特許請求の範囲】
【請求項１】
ＶＯＩＰ通話に応用される通話のシームレススイッチング方法であって、
第１の移動端末が最初の無線ネットワークを介して第２の端末と第１のＶＯＩＰ通話を確立するステップと、
前記第１の移動端末によりスイッチング事件が検知された場合、前記第１の移動端末がターゲット側無線ネットワークを取得するステップと、
前記第１の移動端末が前記ターゲット側無線ネットワークを介して第２の端末に第２のセッション要求を送信すると共に、前記第１のＶＯＩＰ通話を継続するステップと、
前記第１の移動端末が前記第２の端末からの前記第２のセッション要求に対する確認情報を受信した後、前記ターゲット側無線ネットワークを介して前記第２の端末と第２のＶＯＩＰ通話を確立し、前記第２のＶＯＩＰ通話が確立された後、前記第１のＶＯＩＰ通話を終了するステップと、
を含むことを特徴とする通話のシームレススイッチング方法。
【請求項２】
前記第１の移動端末が無線ネットワークにテスト情報を送信し、フィードバック情報に基づいて、前記第１の移動端末が支援する無線ネットワークの状態情報を確定・記録し、ネットワークリストを更新するステップと、
前記第１の移動端末が前記ネットワークリスト中の無線ネットワークの状態情報に基づいてターゲット側無線ネットワークを取得するステップと、をさらに含むことを特徴とする請求項１に記載の通話のシームレススイッチング方法。
【請求項３】
前記無線ネットワークは、予め設定されたパラメータに基づいて優先順位が決定され、前記第１の移動端末により取得されたターゲット側無線ネットワークはネットワークリストにおいて優先順位が最も高い無線ネットワークであることを特徴とする請求項２に記載の通話のシームレススイッチング方法。
【請求項４】
予め設定されたパラメータは、無線ネットワークのネットワーク品質、無線ネットワークの料金、無線ネットワークのサービス品質、ユーザの通話需要を含むことを特徴とする請求項３に記載の通話のシームレススイッチング方法。
【請求項５】
時間閾値を予め設定し、前記第１の移動端末が時間閾値毎に無線ネットワークにテスト情報を送信して、各無線ネットワークのフィードバック情報を取得し、前記フィードバック情報に基づいて前記第１の移動端末のネットワークリストを更新するステップをさらに含むことを特徴とする請求項２に記載の通話のシームレススイッチング方法。
【請求項６】
前記スイッチング事件は、現在の無線ネットワーク品質が予め設定された閾値未満であること、ユーザがスイッチングを要求すること、無線ネットワークのカバー範囲から離れることを含むことを特徴とする請求項１に記載の通話のシームレススイッチング方法。
【請求項７】
前記無線ネットワークは、ＷＩＦＩネットワークと、ＷＩＭＡＸネットワークと、ＬＴＥネットワークと、ＥＤＧＥネットワークを含むことを特徴とする請求項１乃至６の中のいずれかに記載の通話のシームレススイッチング方法。
【請求項８】
スイッチング事件が発生したか否かを検知する検知ユニットと、
ターゲット側無線ネットワークを選択する選択ユニットと、
ＶＯＩＰセッション要求を送信/受信し、最初の無線ネットワーク及びＩＰコアネットワークを介して第２の端末と第１のＶＯＩＰ通話を確立し、前記検知ユニットによりスイッチング事件が検知された後、前記選択ユニットによって選択されたターゲット側無線ネットワークを介して前記第２の端末に第２のＶＯＩＰセッション要求を送信し、前記ターゲット側無線ネットワーク及びＩＰコアネットワークを介して第２の端末と第２のＶＯＩＰ通話を確立するＶＯＩＰ通話ユニットと、
前記第２のＶＯＩＰ通話が確立された後、前記第１のＶＯＩＰ通話を終了し、最初の無線ネットワークからターゲット側無線ネットワークにスイッチングするスイッチングユニットと、を備えることを特徴とする移動端末。
【請求項９】
無線ネットワークにテスト情報を送信し、フィードバック情報に基づいて、前記第１の移動端末が支援する無線ネットワークの状態情報を確定・記録し、ネットワークリストを更新する管理ユニットと、
移動端末が支援する無線ネットワーク及びその状態情報が含まれたネットワークリストを記憶する記憶ユニットと、をさらに備え、
前記選択ユニットが前記記憶ユニットのネットワークリストからターゲット側無線ネットワークを選択することを特徴とする請求項８に記載の移動端末。
【請求項１０】
前記ネットワークリスト中の無線ネットワークは、予め設定されたパラメータに基づいて優先順位が決定され、前記ターゲット側無線ネットワークはネットワークリストにおいて優先順位が最も高い無線ネットワークであることを特徴とする請求項９に記載の移動端末。
【請求項１１】
前記スイッチング事件は、現在の無線ネットワーク品質が予め設定された閾値未満であること、ユーザがスイッチングを要求すること、無線ネットワークのカバー範囲から離れることを含むことを特徴とする請求項８に記載の移動端末。
【請求項１２】
無線ネットワークは、ＷＩＦＩネットワークと、ＷＩＭＡＸネットワークと、ＬＴＥネットワークと、ＥＤＧＥネットワークを含むことを特徴とする請求項８乃至１１の中のいずれかに記載の移動端末。
【発明の詳細な説明】
【技術分野】
【０００１】
本発明は、通信分野に関し、より具体的には、ＶＯＩＰ通話のシームレススイッチング方法及び移動端末に関する。
【背景技術】
【０００２】
ボイスオーバーインターネットプロトコル（Ｖｏｉｃｅ  Ｏｖｅｒ  ＩＰ、以下ＶＯＩＰと略称）は、ネットワークプロトコル（Ｉｎｔｅｒｎｅｔ  Ｐｒｏｔｏｃｏｌ、以下ＩＰと略称）技術に基づいて確立されたパケット化及びデジタル化の伝送技術である。ＶＯＩＰの基本原理は、音声圧縮アルゴリズムに従って音声に圧縮符号化処理を行った後、圧縮された音声データを関連するプロトコル（例えば、ＩＰプロトコル）に応じてパケットに変換し、ＩＰネットワークを介してデータパケットを受信先に伝送し、これらの音声データパケットを列にし復号化処理を行った後、元の音声信号を回復することによって、ＩＰネットワークを介して音声を伝送する目的を実現する。
【０００３】
ＩＰ電話システムは、通常電話のアナログ信号をコンピュータがネットワークにアクセスして伝送可能なＩＰデータパケットに変換すると共に、受信したＩＰデータパケットを音声のアナログ電気信号に変換する。コンピュータネットワークと固定電話網とが、バーソナルコンピュータ（Ｐｅｒｓｏｎａｌ  Ｃｏｍｐｕｔｅｒ、以下ＰＣと略称）中のＶＯＩＰソフトウェアを利用して音声通信を行う技術は非常に発展している。
【０００４】
移動通信の発展に伴って、移動端末の機器機能及びネットワークの帯域幅が向上し、コンピュータネットワーク端末と移動通話ネットワーク端末及び移動通話ネットワーク端末同士間の音声データのリアルタイムの交換が可能となった。ＶＯＩＰ技術を利用すると、企業のローカルネットワーク、広域ネットワーク、インターネット等のＩＰに基づくデータ通信ネットワークにおいてＩＰ電話を応用することができる。ＩＰ電話で国際、国内電話を掛ける時、通話料が安いので、通話コストを低減できると共に、良好な音声品質を保証することができる。ネットワーク通信及び無線技術の発展に伴って、一部の携帯電話は、電話サービスネットワークにアクセスするように同時に多種の無線技術を支援することができ、このような無線技術を支援する状況下、携帯電話はＶＯＩＰ通話機能を支援でき、例えば、携帯電話は、汎用パケット無線サービス（Ｇｅｎｅｒａｌ  Ｐａｃｋｅｔ  Ｒａｄｉｏ  Ｓｅｒｖｉｃｅ、以下ＧＰＲＳと略称）、強化型データ速度ＧＳＭ進化ネットワーク（Ｅｎｈａｎｃｅｄ  Ｄａｔａ  Ｒａｔｅ  ｆｏｒ  ＧＳＭ  Ｅｖｏｌｕｔｉｏｎ、以下ＥＤＧＥと略称）、ＩＥＥＥ  ８０２．１１ｂ規格に基づく無線ローカルネットワーク（Ｗｉｒｅｌｅｓｓ  Ｆｉｄｅｌｉｔｙ、以下ＷＩＦＩと略称）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、以下ＷＩＭＡＸと略称）を支援し、これらのネットワークを介してコアネットワークのＩＰリンクにアクセスしてＶＯＩＰサービスを提供する。異なる無線ネットワークのカバー領域の建設、料金、サービス品質（ＱＯＳ）が異なるので、ユーザが無線ネットワークを利用して通話を行う場合、通話中に現在の無線ネットワークのカバー領域から離れると、又は他の無線ネットワークにスイッチングしようとすると、通話が中断される。従って、各種の無線ネットワークにおいてスイッチングを行う場合、元々開始されていた通話を中断させずに自由にスイッチングするようにシームレススイッチング方法を開発する必要がある。
【発明の概要】
【発明が解決しようとする課題】
【０００５】
上記の課題に鑑み、本発明は、多種の無線ネットワークを支援する移動端末においてＶＯＩＰ通話を中断させずに行えるシームレススイッチング方法を提供することを目的とする。
【課題を解決するための手段】
【０００６】
上記の目的を実現するため、本発明の一方面によると、ＶＯＩＰ通話に応用される通話のシームレススイッチング方法であって、第１の移動端末が最初の無線ネットワークを介して第２の端末と第１のＶＯＩＰ通話を確立するステップと、第１の移動端末によりスイッチング事件が検知された場合、第１の移動端末がターゲット側無線ネットワークを取得するステップと、第１の移動端末がターゲット側無線ネットワークを介して第２の端末に第２のセッション要求を送信すると共に、第１のＶＯＩＰ通話を継続するステップと、第１の移動端末が第２の端末からの第２のセッション要求に対する確認情報を受信した後、ターゲット側無線ネットワークを介して第２の端末と第２のＶＯＩＰ通話を確立し、第２のＶＯＩＰ通話が確立された後、第１のＶＯＩＰ通話を終了するステップと、を含む通話のシームレススイッチング方法を提供する。
【０００７】
上記の方法は、第１の移動端末が無線ネットワークにテスト情報を送信し、フィードバック情報に基づいて、第１の移動端末が支援する無線ネットワークの状態情報を確定・記録し、ネットワークリストを更新するステップと、第１の移動端末がネットワークリスト中の無線ネットワークの状態情報に基づいてターゲット側無線ネットワークを取得するステップと、をさらに含むことが好ましい。
【０００８】
無線ネットワークは、予め設定されたパラメータに基づいて優先順位が決定され、第１の移動端末により取得されたターゲット側無線ネットワークはネットワークリストにおいて優先順位が最も高い無線ネットワークであることが好ましい。
【０００９】
予め設定されたパラメータは、無線ネットワークのネットワーク品質、無線ネットワークの料金、無線ネットワークのサービス品質、ユーザの通話需要を含むことが好ましい。
【００１０】
上記方法は、時間閾値を予め設定し、第１の移動端末が時間閾値毎に無線ネットワークにテスト情報を送信して、各無線ネットワークのフィードバック情報を取得し、フィードバック情報に基づいて第１の移動端末のネットワークリストを更新するステップをさらに含むことが好ましい。
【００１１】
スイッチング事件は、現在の無線ネットワーク品質が予め設定された閾値未満であること、ユーザがスイッチングを要求すること、無線ネットワークのカバー範囲から離れることを含むことが好ましい。
【００１２】
無線ネットワークは、ＷＩＦＩネットワークと、ＷＩＭＡＸネットワークと、ＬＴＥネットワークと、ＥＤＧＥネットワークを含むことが好ましい。
【００１３】
上記の目的を実現するため、本発明の他の一方面によると、スイッチング事件が発生したか否かを検知する検知ユニットと、ターゲット側無線ネットワークを選択する選択ユニットと、ＶＯＩＰセッション要求を送信/受信し、最初の無線ネットワーク及びＩＰコアネットワークを介して第２の端末と第１のＶＯＩＰ通話を確立し、検知ユニットによりスイッチング事件が検知された後、選択ユニットによって選択されたターゲット側無線ネットワーク及びＩＰコアネットワークを介して第２の端末と第２のＶＯＩＰ通話を確立するＶＯＩＰ通話ユニットと、第２のＶＯＩＰ通話が確立された後、第１のＶＯＩＰ通話を終了し、最初の無線ネットワークからターゲット側無線ネットワークにスイッチングするスイッチングユニットと、を備える移動端末を提供する。
【００１４】
上記移動端末は、無線ネットワークにテスト情報を送信し、フィードバック情報に基づいて、第１の移動端末が支援する無線ネットワークの状態情報を確定・記録し、ネットワークリストを更新する管理ユニットと、移動端末が支援する無線ネットワーク及びその状態情報を含むネットワークリストを記憶する記憶ユニットと、をさらに備え、選択ユニットが前記記憶ユニットのネットワークリストからターゲット側無線ネットワークを選択することが好ましい。
【００１５】
ネットワークリスト中の無線ネットワークは、予め設定されたパラメータに基づいて優先順位が決定され、ターゲット側無線ネットワークはネットワークリストにおいて優先順位が最も高い無線ネットワークであることが好ましい。
【００１６】
スイッチング事件は、現在の無線ネットワーク品質が予め設定された閾値未満であること、ユーザがスイッチングを要求すること、無線ネットワークのカバー範囲から離れることを含むことが好ましい。
【００１７】
無線ネットワークは、ＷＩＦＩネットワークと、ＷＩＭＡＸネットワークと、ＬＴＥネットワークと、ＥＤＧＥネットワークを含むことが好ましい。
【発明の効果】
【００１８】
本発明によると、現在の無線ネットワーク品質が低下することによってユーザの通話品質が低下する場合、又は現在の無線ネットワークから離れる場合、又は他のスイッチング事件が発生した場合、ターゲット側無線ネットワークとして品質がさらに良好な無線ネットワークを選択し、ターゲット側無線ネットワークにおいて第２のセッション要求を開始して第２のＶＯＩＰ通話を確立し、第２のＶＯＩＰ通話が確立された後に最初の無線ネットワークからターゲット無線ネットワークにスイッチングすることによって、ユーザの通話を中断させずに、自由にシームレスなスイッチングを実現でき、一層良好な無線ネットワークを介して通話を行って、ユーザの通話品質を向上させることができる。
【００１９】
ここで説明する図面は本発明を理解させるためのもので、本発明の一部を構成し、本発明における実施例と共に本発明を解釈し、本発明を不当に限定するのではない。
【図面の簡単な説明】
【００２０】
【図１】本発明の好適な実施例１にかかる通話のシームレススイッチング方法を示すフローチャートである。
【図２】本発明の好適な実施例２にかかる通話のシームレススイッチング方法を示すフローチャートである。
【図３】本発明の実施例にかかるＳＩＰシグナリングプロセスを示すフローチャートである。
【図４】本発明の好適な実施例３にかかる移動端末の構成を示す図である。
【図５】本発明の好適な実施例４にかかる移動端末の構成を示す図である。
【発明を実施するための形態】
【００２１】
機能総括
本発明の実施例によって提供される技術思想によると、移動端末においてスイッチング事件が検知された場合、ターゲット側無線ネットワークを取得し、当該ターゲット側無線ネットワークを介して第２のセッション要求を開始して第２のＶＯＩＰ通話を確立し、第２のＶＯＩＰ通話が確立された後、最初の無線ネットワークからターゲット側無線ネットワークにスイッチングすることによって、ユーザの通話を中断させずに自由にシームレスなスイッチングを実現できる。
【００２２】
以下、図面及び実施例を結合して本発明を詳しく説明する。ここで、互いに矛盾しない限り、本発明における実施例及び実施例における特徴を組み合わせることができる。
【００２３】
方法実施例
図１は、本発明の好適な実施例１にかかる通話のシームレススイッチング方法を示すフローチャートであり、図１に示すように、当該方法は以下のステップ１０１〜１０７を含む。
【００２４】
第１の移動端末が最初の無線ネットワークを介して第２の端末との間に第１のＶＯＩＰ通話を確立し（ステップ１０１）、ステップ１０２に移行する。
【００２５】
本発明の実施例に記載の通話のシームレススイッチング方法は移動端末において実行し、当該移動端末は携帯電話であることができる。既存技術において、携帯電話と携帯電話、携帯電話と固定電話、携帯電話とコンピュータとの間ではいずれも無線ネットワーク及びＩＰコアネットワークを介してＶＯＩＰ通話を確立することができる。説明を簡略にするため、ＶＯＩＰ通話の確立原理については説明を省略する。上述のように、第２の端末は固定電話、携帯電話、コンピュータであることができ、本発明の実施例において、ＶＯＩＰ通話を支援する携帯電話であることが好ましい。
【００２６】
通話が終了したか否かを判定し、ＹＥＳであるとプロセスを終了し、ＮＯであるとステップ１０３に移行する（ステップ１０２）。
【００２７】
スイッチング事件が発生したか否かを判定し、ＹＥＳであるとステップ１０４に移行し、ＮＯであるとステップ１０２に戻る（ステップ１０３）。
【００２８】
本発明の実施例に記載のスイッチング事件は、現在の無線ネットワーク品質が予め設定された閾値未満であること、ユーザによるスイッチング要求、無線ネットワークのカバー範囲から離れること等を含むが、これらに限定されないことは言うまでもない。その中、予め設定された閾値は、例えばユーザが通話を行うことができない、又は通話品質の低下が著しい等の実際の需要に応じて限定することができる。
【００２９】
利用可能なターゲット側無線ネットワークがあるか否かを判定し、ＹＥＳであるとステップ１０５に移行し、ＮＯであると当該ステップを繰り返して行う（ステップ１０４）。
【００３０】
ターゲット側無線ネットワークのネットワーク品質又は他のパラメータが現在の無線ネットワークより良好で、さらに良好な通話品質を提供できることは言うまでもない。
【００３１】
ターゲット側無線ネットワークを介して第２の端末に第２のセッション要求を送信する（ステップ１０５）。
【００３２】
第１の移動端末（即ち、携帯電話）は、ターゲット側無線ネットワーク及びＩＰコアネットワークを介して第２の端末に第２のセッション要求を送信して第２のＶＯＩＰ通話の確立を要求し、第２の端末からのフィードバックを待つ。第２のセッション要求に、例えばＩＰアドレス等のスイッチングに用いられるメッセージが携帯される。
【００３３】
第２の端末からの第２のセッション要求に対する確認情報を受信した後、ステップ１０７に移行する（ステップ１０６）。
【００３４】
移動端末が第２の端末にセッション要求を送信してから第２の端末からの確認情報を受信して第２のＶＯＩＰ通話を確立する前まで、第１のＶＯＩＰ通話は中断されず、第１の移動端末は第１のＶＯＩＰ通話を介して第２の端末との通話を継続する。
【００３５】
ターゲット側無線ネットワークを介して第２の端末と第２のＶＯＩＰ通話を確立し、最初の無線ネットワークからターゲット側無線ネットワークにスイッチングする（ステップ１０７）。
【００３６】
第１の移動端末が第２の端末から確認情報を受信することによって、ＶＯＩＰ通話を確立可能であることが表され、第１の移動端末はターゲット側無線ネットワーク及びＩＰコアネットワークを介して第２の端末と第２のＶＯＩＰ通話を確立し、第２のＶＯＩＰ通話が確立された後、第１のＶＯＩＰ通話を終了して最初の無線ネットワークからターゲット側無線ネットワークにスイッチングする。
【００３７】
本発明の実施例に記載の無線ネットワークは、ＷＩＦＩネットワークと、ＷＩＭＡＸネットワークと、ＬＴＥネットワークと、ＥＤＧＥネットワークを含むが、これらに限定されないことは言うまでもない。
【００３８】
本発明の実施例によると、現在の無線ネットワーク品質が低下することによってユーザの通話品質が低下する場合、又は現在の無線ネットワークから離れる場合、又は他のスイッチング事件が発生した場合、ターゲット側無線ネットワークとして品質がさらに良好な無線ネットワークを選択し、ターゲット側無線ネットワークにおいて第２のセッション要求を開始して第２のＶＯＩＰ通話を確立し、第２のＶＯＩＰ通話が確立された後、最初の無線ネットワークからターゲット無線ネットワークにスイッチングすることによって、ユーザの通話を中断させずに、自由にシームレスなスイッチングを実現でき、一層良好な無線ネットワークを介して通話を行って、ユーザの通話品質を向上させることができる。
【００３９】
図２は、本発明の好適な実施例２にかかる通話のシームレススイッチング方法を示すフローチャートである。当該方法はステップ２０１〜２０８を含む。
【００４０】
第１の移動端末は最初の無線ネットワークを介して第２の端末と第１のＶＯＩＰ通話を確立し（ステップ２０１）、ステップ２０２に移行する。
【００４１】
本発明の実施例に記載の通話のシームレススイッチング方法は移動端末において実行し、当該移動端末は携帯電話であることができる。既存技術において、携帯電話と携帯電話、携帯電話と固定電話、携帯電話とコンピュータとの間ではいずれも無線ネットワーク及びＩＰコアネットワークを介してＶＯＩＰ通話を確立することができる。説明を簡略にするため、ＶＯＩＰ通話の確立原理については説明を省略する。上述のように、第２の端末は固定電話、携帯電話、コンピュータであることができ、本発明の実施例において、ＶＯＩＰ通話を支援する携帯電話であることが好ましい。
【００４２】
通話が終了したか否かを判定し、ＹＥＳであるとプロセスを終了し、ＮＯであるとステップ２０３に移行する（ステップ２０２）。
【００４３】
無線ネットワークを測量する（ステップ２０３）。
【００４４】
第１の移動端末が各無線ネットワークにテスト情報を送信し、各無線ネットワークのフィードバック情報に基づいて、第１の移動端末が支援する無線ネットワーク及び各無線ネットワークの状態情報を確定し、新しい利用可能な無線ネットワークを発見した場合、新しい無線ネットワークを介してコアネットワークに登録すると共に、第１の移動端末にネットワークリストを作成し、第１の移動端末はネットワークリストからターゲット側無線ネットワークを取得する。
【００４５】
ステップ２０３を、ステップ２０２の後、ステップ２０４の前に限定させずに、どんな場合にも、例えば、携帯電話が通話を行っていない場合に当該ステップを行っても本発明の実施例にかかる技術思想に影響を与えない。当該ステップの番号のため限定性のある解釈を行ってはいけない。
【００４６】
ネットワークリスト中の各無線ネットワークは、予め設定されたパラメータに応じて優先順位が決定され、第１の移動端末により取得されるターゲット側無線ネットワークはネットワークリスト中の優先順位が最も高い無線ネットワークである。
【００４７】
予め設定されたパラメータは、無線ネットワークのネットワーク品質、無線ネットワークの料金、無線ネットワークのサービス品質、ユーザの通話需要などを含むが、これらに限定されない。
【００４８】
携帯電話が各無線ネットワークにテストを行う場合、予め時間閾値を設定することが好ましく、第１の移動端末は当該時間閾値毎に無線ネットワークにテスト情報を送信し、各無線ネットワークのフィードバック情報を受信し、上記のフィードバック情報に基づいて第１の移動端末のネットワークリストを更新する。時間閾値は、実現されたネットワーク情況及びユーザの需要に応じて設定することができ、１ｓ、１０ｓ、１００ｓ、…が挙げられ、実際の情況に応じて移動端末のネットワークリストを更新できるように、本発明の実施例では限定しない。
【００４９】
当該ステップにおいて、移動端末が新しい利用可能な無線ネットワークを発見した場合、新たに発見した無線ネットワークを介してコアネットワークに登録し、移動端末においてネットワークリストを保護する、即ち、新たに発見した無線ネットワークのパラメータをネットワークリストに記録する。
【００５０】
スイッチング事件が発生したか否かを検知し、ＹＥＳであるとステップ２０５に移行し、ＮＯであるとステップ２０２に戻る（ステップ２０４）。
【００５１】
本発明の実施例に記載のスイッチング事件は、現在の無線ネットワーク品質が予め設定された閾値未満であること、ユーザがスイッチングを要求すること、無線ネットワークのカバー範囲から離れること等を含むが、これらに限定されないことは言うまでもない。その中、予め設定された閾値は、例えばユーザが通話を行うことができない、又は通話品質の低下が著しい等の実際の需要に応じて限定することができる。
【００５２】
ネットワークリストに利用可能なターゲット側無線ネットワークがあるか否かを判定し、ＹＥＳであるとステップ２０６に移行し、ＮＯであると当該ステップを繰り返して行う（ステップ２０５）。
【００５３】
ネットワークリストに複数のターゲット側ネットワークが存在する場合、第１の移動端末はターゲット側無線ネットワークとして優先順位が最も高い無線ネットワークを選択し、優先順位については、需要に応じて異なるパラメータに基づいて配列することができ、例えば、無線ネットワークの料金に基づいて、現在のネットワーク品質に基づいて、ネットワークのカバー範囲に基づいて配列する又はこれらのパラメータに基づいて総合的に配列することができる。
【００５４】
ターゲット側無線ネットワークを介して第２の端末に第２のセッション要求を送信する（ステップ２０６）。
【００５５】
第１の移動端末（即ち、携帯電話）は、ターゲット側無線ネットワーク及びＩＰコアネットワークを介して第２の端末に例えばＩＰアドレス等のスイッチングする際に用いられるメッセージが携帯されている第２のセッション要求を送信して第２のＶＯＩＰ通話の確立を要求し、第２の端末からのフィードバックを待つ。
【００５６】
第２端末からの第２セッション要求に対する確認情報を受信した後、ステップ２０８に移行する（ステップ２０７）。
【００５７】
移動端末が第２の端末にセッション要求を送信してから第２の端末の確認情報を受信して第２のＶＯＩＰ通話を確立する前まで、第１のＶＯＩＰ通話は中断されず、第１の移動端末は第１のＶＯＩＰ通話を介して第２の端末との通話を継続する。
【００５８】
ターゲット側無線ネットワークを介して第２の端末と第２のＶＯＩＰ通話を確立し、最初の無線ネットワークからターゲット側無線ネットワークにスイッチングする（ステップ２０８）。
【００５９】
第１の移動端末が第２の端末から確認情報を受信することによって、ＶＯＩＰ通話を確立可能であることが表され、第１の移動端末はターゲット側無線ネットワーク及びＩＰコアネットワークを介して第２の端末と第２のＶＯＩＰ通話を確立し、第２のＶＯＩＰ通話が確立された後、第１のＶＯＩＰ通話を終了して最初の無線ネットワークからターゲット側無線ネットワークにスイッチングし、ユーザ同士間の通話は新しいネットワークで継続される。
【００６０】
本発明の実施例に記載の無線ネットワークは、ＷＩＦＩネットワークと、ＷＩＭＡＸネットワークと、ＬＴＥネットワークと、ＥＤＧＥネットワークを含むが、これらに限定されないことは言うまでもない。
【００６１】
本発明の実施例によると、現在の無線ネットワーク品質が低下することによってユーザの通話品質が低下する場合、又は現在の無線ネットワークから離れる場合、又は他のスイッチング事件が発生した場合、ターゲット側無線ネットワークとして優先順位が最も高い無線ネットワークを選択し、ターゲット側無線ネットワークにおいて第２のセッション要求を開始して第２のＶＯＩＰ通話を確立し、第２のＶＯＩＰ通話が確立された後、最初の無線ネットワークからターゲット無線ネットワークにスイッチングすることによって、ユーザの通話を中断させずに、自由にシームレスなスイッチングを実現でき、移動端末が絶えず各無線ネットワークにテストを行い、ネットワークリストをリアルタイムに更新することによって、現在の最適な無線ネットワークを探し出して、優先順位がより高い無線ネットワークに適時にスイッチングすることができる。
【００６２】
図３は、本発明の実施例にかかるＳＩＰシグナリングを示すフローチャートである。図３に示すように、以下のステップ３０１〜３０６を含む。
【００６３】
端末ａと端末ｂは、ＳＩＰシグナリングを介してＶＯＩＰセッションを確立し、セッションが確立された後、メディアメッセージを伝送して通話を行う（ステップ３０１）。
【００６４】
端末ａにスイッチングの必要がある事件が発生した場合、例えば、現在のネットワーク信号が弱く、他の無線ネットワークの信号が良好である場合、端末ａはＳＩＰ  ＲＥＦＥＲメッセージを送信する（ステップ３０２）。送信されるＲＥＦＥＲメッセージにはスイッチングする際に用いられる情報、例えばＩＰアドレス等が含まれる。
【００６５】
端末ｂは、ＳＩＰ２０２メッセージに応答し、要求を引き受ける（ステップ３０３）。
【００６６】
端末ｂは、ＳＩＰ  ＮＯＴＩＦＹメッセージを端末ａに送信する（ステップ３０４）。
【００６７】
端末ａは、ＳＩＰ２００  ＯＫメッセージを端末ｂに返信する（ステップ３０５）。
【００６８】
両方は新規のセッションを確立し、確立成功した後、元のセッションを終了し、新規のセッションでメディアメッセージを伝送し、通話を継続する（ステップ３０６）。
【００６９】
本発明の実施例は、３ＧＰＰ  ＩＭＳドメイン、３ＧＰＰ２  ＭＭＤドメインに適用される。
【００７０】
上述のように、本発明の実施例による通話のシームレススイッチング方法によると、自由にシームレスなスイッチングを実現できると共に、さらに良好な無線ネットワークを介して通話を行って、ユーザの通話品質を向上させることができる。
【００７１】
本発明の実施例によると、コンピュータが実行可能な命令を記憶しているコンピュータ読み取り可能な記録媒体を提供する。コンピュータ又はプロセッサにより当該命令を実行することによって、図１、図２と図３に示す各ステップの処理を行う。上記の各実施例における一つ又は複数を実行することが好ましい。
【００７２】
装置実施例
図４は、本発明の好適な実施例３にかかる移動端末の構成を示す図であり、図４に示すように、当該移動端末は、スイッチング事件が発生したか否かを検知する検知ユニット４０１と、ＶＯＩＰセッション要求を送信/受信し、最初の無線ネットワーク及びＩＰコアネットワークを介して第２の端末と第１のＶＯＩＰ通話を確立し、検知ユニットによりスイッチング事件の発生が検知された後、ターゲット側無線ネットワーク及びＩＰコアネットワークを介して第２の端末と第２のＶＯＩＰ通話を確立するＶＯＩＰ通話ユニット４０２と、第２のＶＯＩＰ通話が確立された後、第１のＶＯＩＰ通話を終了し、最初の無線ネットワークからターゲット側無線ネットワークにスイッチングするスイッチングユニット４０３と、ターゲット側無線ネットワークを選択する選択ユニット４０４と、を含む。
【００７３】
本発明の実施例に記載の移動端末が、中央処理ユニット、表示ユニット、アンテナユニット、キーユニットなどの移動端末上の通常のユニットをさらに含むことは言うまでもない。説明を簡略にするため、これらの移動端末上の通常の構成部分及びそれらの動作原理、動作プロセスについては説明を省略する。
【００７４】
以下、上記の移動端末の動作プロセス及び動作原理について説明する。
【００７５】
移動端末は、まず、ＶＯＩＰ通話ユニットを介して第２の端末にセッション要求を送信し、第２の端末により確認された後第１のＶＯＩＰ通話を確立し、第１の移動端末と第２の端末との通話中において、移動端末の検知ユニットはスイッチング事件が発生したか否かを検知する。スイッチング事件が発生すると、選択ユニットはターゲット側無線ネットワークを選択し、当該ターゲット側無線ネットワークを介して第２の端末に第２のセッション要求を送信し、第２のＶＯＩＰ通話の確立を要求し、移動端末が第２の端末からの確認情報を受信した後、移動端末は第２の端末と第２のＶＯＩＰ通話を確立する。第２のＶＯＩＰ通話が確立された後、スイッチングユニットは最初の無線ネットワークからターゲット側無線ネットワークにスイッチングし、ユーザ同士間の通話は新しいネットワークで継続され、ＶＯＩＰ通話のシームレススイッチングが実現される。
【００７６】
本発明の実施例に記載のスイッチング事件が、現在の無線ネットワーク品質が予め設定された閾値未満であること、ユーザがスイッチングを要求すること、無線ネットワークのカバー範囲から離れること等を含むが、これらに限定されないことは言うまでもない。その中、予め設定された閾値は、例えばユーザが通話を行うことができない、又は通話品質の低下が著しい等の実際の需要に応じて限定することができる。
【００７７】
上述の無線ネットワークは、ＷＩＦＩネットワークと、ＷＩＭＡＸネットワークと、ＬＴＥネットワークと、ＥＤＧＥネットワークを含むが、これらに限定されない。
【００７８】
本発明の実施例によると、現在の無線ネットワーク品質が低下することによってユーザの通話品質が低下する場合、又は現在の無線ネットワークから離れる場合、又は他のスイッチング事件が発生した場合、ターゲット側無線ネットワークとして品質がさらに良好な無線ネットワークを選択し、ターゲット側無線ネットワークにおいて第２のセッション要求を開始して第２のＶＯＩＰ通話を確立し、第２のＶＯＩＰ通話が確立された後、最初の無線ネットワークからターゲット無線ネットワークにスイッチングすることによって、ユーザの通話を中断させずに、自由にシームレスなスイッチングを実現でき、一層良好な無線ネットワークを介して通話を行って、ユーザの通話品質を向上させることができる。
【００７９】
図５は、本発明の好適な実施例４にかかる移動端末の構成を示す図である。図５に示すように、上記の移動端末は、スイッチング事件が発生したか否かを検知する検知ユニット４０１と、ＶＯＩＰセッション要求を送信/受信し、最初の無線ネットワーク及びＩＰコアネットワークを介して第２の端末と第１のＶＯＩＰ通話を確立し、検知ユニットによりスイッチング事件が検知された後、ターゲット側無線ネットワーク及びＩＰコアネットワークを介して第２の端末と第２のＶＯＩＰ通話を確立するＶＯＩＰ通話ユニット４０２と、第２のＶＯＩＰ通話が確立された後、第１のＶＯＩＰ通話を終了し、最初の無線ネットワークからターゲット側無線ネットワークにスイッチングするスイッチングユニット４０３と、ネットワークリストからターゲット無線ネットワークを選択する選択ユニット４０４と、無線ネットワークにテスト情報を送信し、フィードバック情報に基づいて、移動端末が支援する無線ネットワーク及び各無線ネットワークの状態情報を確定し、新しい利用可能な無線ネットワークが発見された場合、新しい無線ネットワークを介してコアネットワークに登録する管理ユニット５０１と、移動端末が支援する無線ネットワーク及び各無線ネットワークの状態情報が含まれたネットワークリストを記憶する記憶ユニット５０２と、を備える。
【００８０】
上記選択ユニットは上記記憶ユニットのネットワークリストからターゲット側無線ネットワークを選択する。
【００８１】
本発明の実施例に記載の移動端末が、中央処理ユニット、表示ユニット、アンテナユニット、キーユニットなどの移動端末上の通常のユニットをさらに含むことは言うまでもない。説明を簡略にするため、これらの移動端末上の通常構成部分及びそれらの動作原理、動作プロセスについては説明を省略する。
【００８２】
当該実施例にかかる移動端末は、移動端末が管理ユニットを介して無線ネットワークにテスト情報を送信し、フィードバック情報に基づいて、移動端末が支援する無線ネットワーク及び各無線ネットワークの状態情報を確定し、新しい利用可能な無線ネットワークが発見された場合、新しい無線ネットワークを介してコアネットワークに登録する点で実施例３に記載の移動端末と異なっている。また、記憶ユニットは、移動端末が支援する無線ネットワーク及び各無線ネットワークの状態情報が含まれたネットワークリストを記憶する。従って、移動端末が支援する無線ネットワーク及び各無線ネットワークの状態をリアルタイムに更新することができ、移動端末のスイッチングにさらに良好なターゲット側無線ネットワークを提供できる。
【００８３】
上記ネットワークリスト中の各無線ネットワークは、予め設定されたパラメータに基づいて優先順位が決定され、第１の移動端末により取得されたターゲット側無線ネットワークはネットワークリストにおいて優先順位が最も高い無線ネットワークである。
【００８４】
上記の予め設定されたパラメータは、無線ネットワークのネットワーク品質、無線ネットワークの料金、無線ネットワークのサービス品質、ユーザの通話需要を含むが、これに限定されない。
【００８５】
携帯電話が各無線ネットワークにテストを行う場合、予め時間閾値を設定することが好ましく、第１の移動端末は当該時間閾値毎に無線ネットワークにテスト情報を送信し、各無線ネットワークのフィードバック情報を取得し、上記のフィードバック情報に基づいて第１の移動端末のネットワークリストを更新する。時間閾値は、実現されたネットワーク情況及びユーザの需要に応じて設定することができ、１ｓ、１０ｓ、１００ｓ、…が挙げられ、実際の情況に応じて移動端末のネットワークリストを更新できるように、本発明の実施例では限定しない。
【００８６】
ネットワークリストに複数の利用可能なターゲット側無線ネットワークが存在する場合、第１の移動端末はターゲット側無線ネットワークとして優先順位が最も高い無線ネットワークを選択し、優先順位については、需要に応じて異なるパラメータに基づいて配列することができ、例えば、無線ネットワークの料金に基づいて、現在のネットワーク品質に基づいて、ネットワークのカバー範囲に基づいて配列する、又はこれらのパラメータに基づいて総合的に配列することができることは言うまでもない。
【００８７】
本発明の実施例に記載のスイッチング事件が、現在の無線ネットワーク品質が予め設定された閾値未満であること、ユーザがスイッチングを要求すること、無線ネットワークのカバー範囲から離れること等を含むが、これらに限定されないことは言うまでもない。その中、予め設定された閾値は、例えばユーザが通話を行うことができない、又は通話品質の低下が著しい等の実際の需要に応じて限定することができる。
【００８８】
上述の無線ネットワークは、ＷＩＦＩネットワークと、ＷＩＭＡＸネットワークと、ＬＴＥネットワークと、ＥＤＧＥネットワークを含むが、これらに限定されない。
【００８９】
本発明の実施例によると、現在の無線ネットワーク品質が低下することによってユーザの通話品質が低下する場合、又は現在の無線ネットワークから離れる場合、又は他のスイッチング事件が発生した場合、ターゲット側無線ネットワークとして優先順位が最も高い無線ネットワークを選択し、ターゲット側無線ネットワークにおいて第２のセッション要求を開始して第２のＶＯＩＰ通話を確立し、第２のＶＯＩＰ通話が確立された後、最初の無線ネットワークからターゲット無線ネットワークにスイッチングすることによって、ユーザの通話を中断させずに、自由にシームレスなスイッチングを実現でき、移動端末が絶えず各無線ネットワークにテストを行うことによって、ネットワークリストをリアルタイムに更新し、現在の最適な無線ネットワークを探し出して、優先順位がさらに高い無線ネットワークに適時にスイッチングすることができる。
【００９０】
本発明の実施例にかかる発明は、３ＧＰＰ  ＩＭＳドメイン、３ＧＰＰ２  ＭＭＤドメインに適用される。
【００９１】
そして、本発明の実現はシステムの構造及び既存の処理プロセスを変更していないので、実現しやすく、容易に当該技術分野に普及させることができ、産業化に適切である。
【００９２】
上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは言うまでもない。このように、本発明は如何なる特定のハードウェアとソフトウェアの結合にも限定されない。
【００９３】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005624985.tif 000002
【図２】
0005624985.tif 000003
【図３】
0005624985.tif 000004
【図４】
0005624985.tif 000005
【図５】
0005624985.tif 000006